(57)【要約】【課題】灰皿装置を備えた遊技機において、遊技者自身で灰皿本体を回転できない灰皿装置の使用によって、同一の灰皿装置を備えた遊技機を喫煙用と禁煙用の各島台に設置できるようにすることである。【解決手段】基枠２に対して垂直な回転軸を中心にして灰皿本体Ｂが回転可能な灰皿装置Ａを備えた遊技機であって、前記灰皿装置Ａは、灰皿本体Ｂの使用位置と前記使用位置を基準にして灰皿本体Ｂが半回転した非使用位置とにおいてそれぞれ灰皿本体Ｂが被係止体Ｅに対して回転不能に係止可能な係止機構Ｆと、前記使用位置及び非使用位置の双方において前記被係止体Ｅに対する灰皿本体Ｂの係止解除を不能にするために、基枠２の背面側に配置されたロック機構Ｒ１  とを備えた構成とする。【選択図】        図４
2004242775.tif 000002
【特許請求の範囲】
【請求項１】
遊技機の前面に対して垂直な回転軸を中心にして灰皿本体が回転可能な灰皿装置を備えた遊技機であって、
前記灰皿装置は、灰皿本体の使用位置と前記使用位置を基準にして灰皿本体が半回転した非使用位置とにおいてそれぞれ灰皿本体が被係止部材に対して回転不能に係止可能な係止機構と、前記使用位置及び非使用位置の双方において前記被係止部材に対する灰皿本体の係止解除を不能にするために、遊技機の背面側に配置されたロック機構と、を備えていることを特徴とする遊技機。
【発明の詳細な説明】
【０００１】
【発明の属する技術分野】
本発明は、遊技機の前面に対して垂直な回転軸を中心にして灰皿本体が回転可能な灰皿装置を備えた遊技機に関するものである。
【０００２】
【従来の技術】
最近のパチンコホールは、喫煙用と禁煙用の島台に分かれているものがあり、前者の島台に設置されるパチンコ機は灰皿を備えているが、後者の島台に設置されるパチンコ機は灰皿を備えていない。このため、パチンコ機のメーカーでは、二種類の仕様のパチンコ機を供給する必要がある。
【０００３】
ここで、二種類の仕様のパチンコ機を製作する替わりに、例えば特許文献１に示されるように、遊技機に対して垂直な回転軸を中心にして灰皿本体が回転可能な灰皿装置を設置して、禁煙用の島台においては、灰皿本体を反転させて、その底面を上方に向けておくことが考えられる。しかし、上記特許文献１に開示の灰皿装置は、遊技者が自由に回動（回転）させることが可能であるので、禁煙用の島台において、遊技者自身で灰皿本体を反転させ、灰を収容可能にして喫煙できる。これでは、島台を喫煙用と禁煙用に分離して、禁煙者を保護する目的が達成できない。
【０００４】
【特許文献１】
特開平１０−４３４００号公報
【０００５】
【発明が解決しようとする課題】
本発明の課題は、上記構成の灰皿装置を備えた遊技機において、遊技者自身で灰皿本体を回転できない灰皿装置の使用によって、同一の灰皿装置を備えた遊技機を喫煙用と禁煙用の各島台に設置できるようにすることを課題としている。
【０００６】
【課題を解決するための手段】
上記課題を解決するための第１解決手段（請求項１の発明）は、遊技機の前面に対して垂直な回転軸を中心にして灰皿本体が回転可能な灰皿装置を備えた遊技機であって、前記灰皿装置は、灰皿本体の使用位置と前記使用位置を基準にして灰皿本体が半回転した非使用位置とにおいてそれぞれ灰皿本体が被係止部材に対して回転不能に係止可能な係止機構と、前記使用位置及び非使用位置の双方において前記被係止部材に対する灰皿本体の係止解除を不能にするために、遊技機の背面側に配置されたロック機構と、を備えていることを特徴としている。
【０００７】
第１解決手段によれば、喫煙用及び禁煙用の各島台においては、遊技機に取付けられた灰皿本体を相互に反転させて配置し、遊技機の背面側に設置されたロック機構により、被係止部材に対する灰皿本体の係止を維持させればよい。このため、同一の灰皿装置を備えた遊技機を喫煙用と禁煙用の各島台に設置できる。また、灰皿本体の使用位置及び非使用位置において、灰皿本体を被係止部材に対して係止させた状態を維持しているロック機構は、遊技機の背面側に配置されていて、遊技者は操作できない。よって、遊技者は、禁煙用の島台の遊技機に取付けられた灰皿本体を非使用位置から使用位置に反転させられないので、遊技者が禁煙用の島台において喫煙するのを防止できる。
【０００８】
また、第２解決手段は、第１解決手段において、前記係止機構は、灰皿本体の背面側に設けられた係止爪と、遊技機に固定されて、前記係止爪を係止させるための被係止部材と、前記灰皿本体を遊技機の前側に向けて付勢させる付勢部材とから成り、前記被係止部材は、前記係止爪を挿入した状態で灰皿本体が回動可能なように、灰皿本体の回転軸を挿通する軸挿通孔の軸心を中心とした環状溝が外周面に形成され、前記環状溝よりも手前側における周方向の位相が１８０°異なる部分に前記係止爪を係止させる一対の被係止溝が設けられた構成であることを特徴としている。
【０００９】
第２解決手段によれば、灰皿本体の背面側に設けられた係止爪が、被係止部材の被係止溝に挿入係止された状態において、付勢部材により灰皿本体は手前側に付勢されて、灰皿本体の係止爪と被係止部材との係止状態が維持される。一方、付勢部材の付勢力に抗して灰皿本体を奥側に押圧すると、灰皿本体の係止爪は被係止部材の被係止溝から奥側に脱出して、両者の係止が解除されると共に、灰皿本体の係止爪は、被係止部材の被係止溝の奥側に形成された環状溝に挿入されて、灰皿本体は被係止部材に対して回転可能となる。このように、第２解決手段によれば、灰皿本体の使用位置と前記使用位置を基準にして灰皿本体が半回転した非使用位置とにおいてそれぞれ灰皿本体が被係止部材に対して回転不能に係止可能な係止機構を簡単に構成できる。
【００１０】
また、第３解決手段は、第１又は第２の解決手段において、前記ロック機構は、灰皿本体に一体に取付けられた回転軸が被係止部材の軸挿通孔に挿通された状態で、前記回転軸における遊技機の背面側に突出した部分に一体に取付けられた係止解除防止部材と、前記係止解除防止部材を前記遊技機に対して回転不能に連結するための連結ピンとで構成されることを特徴としている。
【００１１】
第３解決手段によれば、遊技機の背面側において、連結ピンを介して係止解除防止部材を遊技機に対して回転不能に連結すると、被係止部材に対して灰皿本体がロックされて回転不能となる。
【００１２】
また、第４解決手段は、第１又は第２の解決手段において、前記ロック機構は、灰皿本体に一体に取付けられた回転軸が被係止部材の軸挿通孔に挿通された状態で、前記回転軸における遊技機の背面側に突出した部分に一体に取付けられた係止解除防止部材と、前記係止解除防止部材が後退するのを防止するために前記遊技機の背面側に回動可能に取付けられた後退防止部材とで構成されることを特徴としている。
【００１３】
第４解決手段によれば、遊技機の背面側において、後退防止部材を回動させて係止解除防止部材の後退を防止すると、灰皿本体は、被係止部材と係止した状態において後退できなくなる。そのため、被係止体に対する灰皿本体の係止状態（ロック状態）が維持される。
【００１４】
【発明の実施の形態】
以下、実施形態を挙げて本発明を更に詳細に説明する。図１は、本発明に係る灰皿装置Ａを備えたパチンコ機の全体斜視図であり、図２は、図１の灰皿装置Ａの部分の拡大図である。図１及び図２において、外枠１には、遊技盤（図示せず）を取付けた基枠２がヒンジピン３を介して水平面内で回動可能に連結されており、前記基枠２の前方は開閉可能なガラス枠４によって覆われている。基枠２には、遊技球を貯留させる上皿５及び下皿６が相上下して設けられ、下皿６の右側方には発射ハンドル７が配置されていると共に、下皿６の左側方には、本発明に係る灰皿装置Ａが取付けられている。
【００１５】
次に、本発明の第１実施形態の灰皿装置Ａについて説明する。図３は、本発明の第１実施形態の灰皿装置Ａの分解斜視図であり、図４は、灰皿装置Ａの使用状態の縦断面図であり、図５は、図４のＸ−Ｘ線断面図であり、図６は、灰皿本体Ｂを僅かに後退させた状態の灰皿装置Ａの縦断面図である。図３ないし図６に示されるように、灰皿装置Ａは、吸殻を収容可能な吸殻収容部１２を備えた灰皿本体Ｂと、前記基枠２に固定されて、前記灰皿本体Ｂの背面側に一体に設けられた一対の係止爪１３を係止可能な被係止体Ｅと、前記灰皿本体Ｂを前方（遊技者の側）に押圧して付勢させる圧縮バネＳとを備えている。
【００１６】
吸殻収容部１２を有する灰皿本体Ｂは、四角形の箱状を呈していて、その手前側の周壁には、喫煙中のタバコを前記吸殻収容部１２に一時的に収容する際に、その一部を収容して転倒を防止する凹部１４が設けられていると共に、その背面側の周壁には、円盤部１５が一体に設けられている。前記円盤部１５には、回転軸部１６が前記基枠２の前面に対して垂直となり、しかも同心状となって背面側に突出して設けられていると共に、一対の係止爪１３が前記回転軸部１６の中心に対して対称位置に設けられている。即ち、一対の係止爪１３は、周方向に沿った位相が１８０°異なる部分にそれぞれ形成されている。一対の係止爪１３は、いずれもＬ字形をしていて、その爪部１３ａが内側（回転軸部１６の中心側）を向いて相対向している。ここで、灰皿本体Ｂと、その背面側に一体に設けられた円盤部１５とは、図５に示されるように、正面視において、箱状をした灰皿本体Ｂの対角線が円盤部１５の中心を通り、しかも前記対角線の長さと円盤部１５の直径とがぼほ等しくなる関係にある。
【００１７】
また、被係止体Ｅは、前記灰皿本体Ｂの一対の係止爪１３を係止させる被係止溝１８を備えていて、基枠２における灰皿本体Ｂの配置部位に貫通された嵌合孔１９に回転不能に嵌合される。即ち、被係止体Ｅは、その中心部に灰皿本体Ｂの回転軸部１６を挿通させる軸挿通孔２０が貫通して形成され、一対の被係止溝１８が設けられた鍔部２１、環状溝２２、嵌合部２３及び当接板部２４が、その手前側から背面側に向けて上記順序で設けられた構成である。一対の被係止溝１８は、灰皿本体Ｂの一対の係止爪１３の各爪部１３ａが係止される部分であって、軸挿通孔２０の軸心に対して対称位置にそれぞれ形成されている。環状溝２２は、図６に示されるように、灰皿本体Ｂを後退させた際に、灰皿本体Ｂの一対の係止爪１３の各爪部１３ａを遊嵌可能にして、被係止体Ｅに対して灰皿本体Ｂを回転可能にする部分である。嵌合部２３は、基枠２における灰皿本体Ｂの配置部位に貫通された嵌合孔１９に隙間なく嵌合されて、基枠２に対して被係止体Ｅを固定する部分であり、当接板部２４は、基枠２の背面に当接させて、基枠２に対する被係止体Ｅの前後方向の位置決めを行う部分である。なお、当接板部２４は、ビス（図示せず）を介して基枠２の背面に固定される。
【００１８】
また、図３、図４及び図６に示されるように、基枠２の嵌合孔１９に被係止体Ｅの嵌合部２３を嵌合固定して、灰皿本体Ｂの回転軸部１６を基枠２の前面側から被係止体Ｅの軸挿通孔２０に挿通させる。ここで、基枠２の嵌合孔１９に被係止体Ｅの嵌合部２３を嵌合固定した状態では、被係止体Ｅの前端面と基枠２の前面とは、ほぼ同一面となっていて、灰皿本体Ｂの一対の係止爪１３を被係止体Ｅの一対の被係止溝１８にそれぞれ係止させた状態で、灰皿本体Ｂを背面側にわずかに移動させて、その一対の係止爪１３を被係止体Ｅの環状溝２２に遊嵌させると、図６に示されるように、灰皿本体Ｂの回転軸部１６は、被係止体Ｅの後端面から後方に所定長だけ突出するようになっている。被係止体Ｅの後端面には、リング板状をした係止解除防止板２５が複数本のビス２６を介して固定されていると共に、灰皿本体Ｂの回転軸部１６の後端面に形成されたバネ収容孔１６ａと、基枠２の背面側に固定されたバネ支持ブラケット２７との間に圧縮バネＳが弾装されている。これにより、灰皿本体Ｂは、圧縮バネＳの復元力により前側に付勢されている。図４は、係止解除防止板２５が灰皿本体Ｂの回転軸部１６の後端面に当接して、灰皿本体Ｂの一対の係止爪１３が被係止体Ｅの一対の被係止溝１８に係止された状態を示し、これにより灰皿本体Ｂは、使用位置〔図４及び図８（イ）参照〕、又は非使用位置〔図８（ロ）参照〕に固定配置される。
【００１９】
上記実施形態では、灰皿本体Ｂの使用位置と前記使用位置を基準にして灰皿本体Ｂが半回転した非使用位置とにおいてそれぞれ灰皿本体Ｂが被係止体Ｅ対して回転不能に係止可能な係止機構Ｆは、灰皿本体Ｂの背面側に設けられた一対の係止爪１３と、前記基枠２の固定された前記被係止体Ｅの前面側に設けられて、前記一対の係止爪１３をそれぞれ係止させるための一対の被係止溝１８と、前記灰皿本体Ｂを手前側に付勢させる圧縮バネＳとで構成される。
【００２０】
また、基枠２の背面側には、灰皿本体Ｂの上記使用位置及び非使用位置において、灰皿本体Ｂの係止爪１３と被係止体Ｅの被係止溝１８との係止が解除されるのを防止するロック機構Ｒ１  が設けられている。即ち、図３、図４及び図６に示されるように、ロック機構Ｒ１  は、被係止体Ｅの後端面において軸挿通孔２０の軸心に対して対称位置に設けられた一対の嵌合孔２８と、前記係止解除防止板２５に設けられた貫通孔２９と、前記嵌合孔２８及び貫通孔２９が合致した状態で各孔２８，２９に挿入されるマグネットピン３１とで構成される。そして、被係止体Ｅ及び係止解除防止板２５を非磁性体（例えば、プラスチック）及び磁性体（例えば、鋼板）でそれぞれ構成しておくと、被係止体Ｅに対して係止解除防止板２５が前記各孔２８，２９の軸方向に移動しても、マグネットピン３１は、磁性体である係止解除防止板２５と一体となったままで移動可能となって、係止解除防止板２５から抜け落ちることはない。
【００２１】
このため、図４に示される状態では、灰皿本体Ｂの背面側に設けられた一対の係止爪１３が、被係止体Ｅの前面側に設けられた一対の被係止溝１８にそれぞれ係止されていると共に、灰皿本体Ｂの回転軸部１６の後端面に取付けられた係止解除防止板２５が被係止体Ｅの後端面に当接しており、しかも圧縮バネＳの復元力により灰皿本体Ｂの全体が前方に付勢されて、上記状態が維持されている。これに加えて、基枠２の背面側において、被係止体Ｅの嵌合孔２８及び係止解除防止板２５の貫通孔２９にマグネットピン３１が挿通されているため、図６に示されるように、圧縮バネＳの復元力に抗して灰皿本体Ｂを後退させて、その一対の係止爪１３を被係止体Ｅの環状溝２２に遊嵌させることは可能であるが、灰皿本体Ｂの後退状態においても、被係止体Ｅの嵌合孔２８及び係止解除防止板２５の貫通孔２９にマグネットピン３１が挿通されているため、灰皿本体Ｂを回転させることはできない。この結果、灰皿本体Ｂの非使用状態において、遊技者の側で灰皿本体Ｂを反転させて、その吸殻収容部１２を上方に向けることはできない。この操作を可能にするには、ホール側で、基枠２を開いて基枠２の背面側において、マグネットピン３１を取り外して行う必要がある。また、図３に示されるように、バネ支持ブラケット２７は、３本脚状になっているため、前記マグネットピン３１は、バネ支持ブラケット２７の各脚部２７ａとの干渉を避けて、各脚部２７ａの間に配置される。なお、図３において、３２は、バネ支持ブラケット２７を固定するためのビスを示す。
【００２２】
また、灰皿本体Ｂを使用状態から非使用状態に変更したり、或いはその逆に変更する場合には、ホール側で、基枠２を開いて基枠２の背面側においてマグネットピン３１を取り外した状態で、図６に示されるように、圧縮バネＳの復元力に抗して灰皿本体Ｂを基枠２の背面側に僅かに移動させて、灰皿本体Ｂの一対の係止爪１３を被係止体Ｅの一対の被係止溝１８から脱出させて、被係止体Ｅの環状溝２２に遊嵌させ、この状態で灰皿本体Ｂを反転させて行う。なお、図１ないし図６において、３４は、灰皿本体Ｂの円盤部１５が収容可能なように、化粧板３５に設けられた円形孔部を示すと共に、図３及び図８においては、化粧板３５は、模式的に図示してある。
【００２３】
次に、本発明の第２実施形態について説明する。図７（イ），（ロ）は、それぞれ異なるロック機構Ｒ２  を備えた灰皿装置Ａの縦断面図及び背面図である。第２実施形態の灰皿装置Ａは、第１実施形態に対してロック機構Ｒ２  が異なるのみであるので、第１実施形態と同一部分には同一符号を付して図示のみ行って、異なる部分についてのみ説明する。このロック機構Ｒ２  は、係止解除防止板２５の後退を防止するための後退防止板３６が、基枠２の背面に支持ピン３７を介して回動可能に取付けられて、前記後退防止板３６が垂れ下がった状態で係止解除防止板２５の背面側に配置されることにより、灰皿本体Ｂの後退そのものを防止する構成である。このように、ロック機構Ｒ２  に関しても、基枠２の背面側に配置されているために、遊技者の操作は不能である。よって、遊技者が灰皿本体Ｂを非使用位置から使用位置に変更することを防止できる。
【００２４】
そして、喫煙用の島台においては、図１、図２及び図８（イ）に示されるように、吸殻収容部１２を上方に向けた使用位置において、灰皿本体Ｂを基枠２に対してロックされると共に、禁煙用の島台においては、図８（ロ）に示されるように、底面３８が上方を向いた非使用位置において、灰皿本体Ｂを基枠２に対してロックされる。
【００２５】
また、上記各実施形態では、灰皿本体Ｂの背面側の回転軸部１６の軸心に対して対称位置に一対の係止爪１３を備えていて、各係止爪１３は、いずれも被係止体Ｅの各被係止溝１８に係止される構成であるために、灰皿本体Ｂの使用位置及び非使用位置のいずれにおいても、被係止体Ｅに対して灰皿本体Ｂを安定して支持できる利点がある。しかし、本発明においては、灰皿本体Ｂの背面側に設ける係止爪は、単に一つであっても、灰皿本体Ｂの回転を防止する機能は達成し得る。
【００２６】
また、ホール側で基枠２を開いて、灰皿本体Ｂを使用位置から非使用位置に変更したり、或いはこの逆の位置に変更したりする場合には、基枠２の背面側で灰皿本体Ｂの回転軸部１６の回転操作が必要となる。そこで、灰皿本体Ｂの回転軸部１６の後端面に固定された係止解除防止板２５の背面側に「摘み」を一体に設けておいて、バネ支持ブラケット２７の各脚部２７ａの間に突っ込んで指先によって、前記「摘み」を掴むと、回転軸部１６、即ち灰皿本体Ｂの回転操作が容易となる。また、前記各実施形態で使用した「マグネットピン」に替えて、一般的な「連結ピン」を挿入するものであってもよい。
【００２７】
更に、本発明は、パチンコ機のみならず、スロットマシン等の他の遊技機に対しても実施可能である。
【００２８】
【発明の効果】
本発明に係る灰皿装置は、灰皿装置を反転使用することにより、同一の灰皿装置を備えた遊技機を喫煙用と禁煙用の各島台に設置できると共に、遊技者の側では灰皿本体を回転させられないので、禁煙用の島台に設置された遊技機の灰皿装置を非使用状態から使用状態に変更できず、禁煙用の島台において喫煙されるのを防止できる。
【図面の簡単な説明】
【図１】本発明に係る灰皿装置Ａを備えたパチンコ機の全体斜視図である。
【図２】図１の灰皿装置Ａの部分の拡大図である。
【図３】本発明の第１実施形態の灰皿装置Ａの分解斜視図である。
【図４】灰皿装置Ａの使用状態の縦断面図である。
【図５】図４のＸ−Ｘ線断面図である。
【図６】灰皿本体Ｂを僅かに後退させた状態の灰皿装置Ａの縦断面図である。
【図７】（イ），（ロ）は、それぞれ異なるロック機構Ｒ２  を備えた灰皿装置Ａの縦断面図及び背面図である。
【図８】（イ），（ロ）は、それぞれ灰皿本体Ｂの使用状態、及び非使用状態の斜視図である。
【符号の説明】
Ａ：灰皿装置
Ｂ：灰皿本体
Ｅ：被係止体（被係止部材）
Ｆ：係止機構
Ｒ１  ，Ｒ２  ：ロック機構
Ｓ：圧縮バネ（付勢部材）
２：基枠
１３：係止爪
１６：回転軸部
１８：被係止溝
２０：軸挿通孔
２２：環状溝
２５：係止解除防止板（係止解除防止部材）
３１：マグネットピン（連結ピン）
３６：後退防止板（後退防止部材）
【図１】
2004242775.tif 000003
【図２】
2004242775.tif 000004
【図３】
2004242775.tif 000005
【図４】
2004242775.tif 000006
【図５】
2004242775.tif 000007
【図６】
2004242775.tif 000008
【図７】
2004242775.tif 000009
【図８】
2004242775.tif 000010